(57)【要約】【課題】  移動体通信網と無線ＬＡＮとの双方に接続可能な通信端末に対して、それら二つの網を選択的に介して接続可能とすることのできる通信切替装置を提供すること。【解決手段】  この通信切替装置１０は、接続要求情報を受信する要求受信部１０１と、当該受信した接続要求情報に含まれる携帯電話機３０の電話番号に基づいて、無線構内通信網ＮＷ２及び移動体通信網ＮＷ１のうち携帯電話機３０が通信可能な網を決定する通信可能網決定部１０２と、当該決定した通信可能な網が複数存在する場合に、当該複数の網についての優先度を判断する優先度判断部１０３と、当該判断した優先度に基づいて、携帯電話機３０と通信接続するための網を決定する着信網決定部１０４と、当該決定した網を介して携帯電話機３０に対する着信制御を行う着信制御部１０５と、を備える。【選択図】  図１
2007243323.tif 000002
【特許請求の範囲】
【請求項１】
無線構内通信網及び移動体通信網を含み、一台の通信端末に対して前記無線構内通信網及び前記移動体通信網のいずれかを選択的に介して通信可能な通信システム内における通信切替装置であって、
前記通信端末との通信接続を要求する接続要求情報を受信する要求受信手段と、
当該受信した接続要求情報に含まれる前記通信端末を特定する端末特定情報に基づいて、前記無線構内通信網及び前記移動体通信網のうち前記通信端末が通信可能な網を決定する通信可能網決定手段と、
当該決定した通信可能な網が複数存在する場合に、当該複数の網についての優先度を判断する優先度判断手段と、
当該判断した優先度に基づいて、前記通信端末と通信接続するための網を決定する着信網決定手段と、
当該決定した網を介して前記通信端末に対する着信制御を行う着信制御手段と、
を備える通信切替装置。
【請求項２】
前記優先度判断手段は、前記通信端末の前記無線構内通信網及び前記移動体通信網における在圏状態に基づいて前記優先度を判断する、請求項１に記載の通信切替装置。
【請求項３】
前記優先度判断手段は、前記通信端末の前記通信システムにおける契約状態に基づいて前記優先度を判断する、請求項１に記載の通信切替装置。
【請求項４】
前記着信網決定手段が決定した網を特定する情報を、前記接続要求情報を送信した発信側通信端末に送信する着信情報送信手段を更に備える、請求項１〜３のいずれか１項に記載の通信切替装置。
【発明の詳細な説明】
【技術分野】
【０００１】
本発明は、無線構内通信網（以下、無線ＬＡＮともいう）及び移動体通信網を含む通信システム内における通信切替装置に関する。
【背景技術】
【０００２】
公衆無線ＬＡＮの発達に伴い、移動体通信網と無線ＬＡＮとの双方に接続可能な携帯電話機や通信システムが提案されている（例えば、下記特許文献１参照）。
【特許文献１】特開２００５−２６８５７号公報
【発明の開示】
【発明が解決しようとする課題】
【０００３】
上述した特許文献１に代表される従来の技術は、移動体通信網と無線ＬＡＮとの双方に接続可能な携帯電話機から接続要求の動作をする際に関する技術である。従って、そのような携帯電話機に、他の電話機（携帯電話機、固定電話機）から発信する際には、通常の携帯電話機に発信するのと同様に移動体通信網を介した接続が行われていた。
【０００４】
そこで本発明では、移動体通信網と無線ＬＡＮとの双方に接続可能な通信端末に対して、それら二つの網を選択的に介して接続可能とすることのできる通信切替装置を提供することを目的とする。
【課題を解決するための手段】
【０００５】
本発明にかかる通信切替装置は、無線構内通信網及び移動体通信網を含み、一台の通信端末に対して無線構内通信網及び移動体通信網のいずれかを選択的に介して通信可能な通信システム内における通信切替装置であって、（１）通信端末との通信接続を要求する接続要求情報を受信する要求受信手段と、（２）当該受信した接続要求情報に含まれる通信端末を特定する端末特定情報に基づいて、無線構内通信網及び移動体通信網のうち通信端末が通信可能な網を決定する通信可能網決定手段と、（３）当該決定した通信可能な網が複数存在する場合に、当該複数の網についての優先度を判断する優先度判断手段と、（４）当該判断した優先度に基づいて、通信端末と通信接続するための網を決定する着信網決定手段と、（５）当該決定した網を介して通信端末に対する着信制御を行う着信制御手段と、を備える。
【０００６】
本発明によれば、接続要求情報の受信に応じて、その接続要求情報が通信接続を要求する通信端末が通信可能な網を決定すると共に、そのように決定した網が複数存在する場合に、優先度を判断し、その優先度に基づいて通信端末と通信接続するための網を決定することができる。従って、より優先度の高い網を選択して通信接続することが可能となる。
【０００７】
また本発明にかかる通信切替装置では、優先度判断手段は、通信端末の無線構内通信網及び移動体通信網における在圏状態に基づいて優先度を判断することも好ましい。在圏状態に基づいて優先度を判断するので、例えば通信端末が無線構内通信網の圏外に位置する場合には、移動体通信網を介して通信接続することが可能となる。
【０００８】
また本発明にかかる通信切替装置では、優先度判断手段は、通信端末の通信システムにおける契約状態に基づいて優先度を判断することも好ましい。通信システムにおける契約に基づいて優先度を判断するので、例えば通信端末が移動体通信網のみの契約としている場合であっても、的確に通信接続することが可能となる。
【０００９】
また本発明にかかる通信切替装置では、着信網決定手段が決定した網を特定する情報を、接続要求情報を送信した発信側通信端末に送信する着信情報送信手段を更に備えることも好ましい。着信網決定手段が決定した網を特定する情報を発信側通信端末に送信するので、発信側通信端末において無線構内通信網及び移動体通信網のいずれによって通信端末と通信接続したかを通知することができる。
【発明の効果】
【００１０】
本発明によれば、移動体通信網と無線ＬＡＮとの双方に接続可能な通信端末に対して、それら二つの網を選択的に介して接続可能となる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
本発明の実施形態である通信切替装置を含む通信システムについて図１を参照しながら説明する。図１は、通信システム１の構成を示す図である。通信システム１は、通信切替装置１０と、サービス制御装置２０と、移動体通信網ＮＷ１と、無線構内通信網ＮＷ２とを備えている。図１には明示していないが、通信切替装置１０と無線構内通信網ＮＷ２との間には信号変換装置が配置されている。
【００１３】
携帯電話機３０（通信端末）は、移動体通信網ＮＷ１と無線構内通信網ＮＷ２との双方と通信接続可能な端末である。また、発信側通信端末３５は、固定電話機でも携帯電話機でもよく、通信システム１外の他の通信システムを経由して発着信を行ってもよい。尚、携帯電話機３０及び発信側通信端末３５は、この通信システム１を利用可能な端末の例示であって、実際には多数の端末がこの通信システム１を利用している。
【００１４】
サービス制御装置２０は、携帯電話機３０の契約情報や在圏情報を格納する装置であって、通信切替装置１０、移動体通信網ＮＷ１、及び無線構内通信網ＮＷ２と相互通信可能なように構成されている。サービス制御装置２０は適宜、移動体通信網ＮＷ１及び無線構内通信網ＮＷ２に対して携帯電話機３０の在圏情報送信を要求し、その要求に応じて送信される在圏情報を格納する。
【００１５】
サービス制御装置２０が格納する情報の例を図２に示す。図２に示す例に拠れば、サービス制御装置２０は、各携帯電話機の電話番号に関連付けて、契約情報、在圏情報、及びユーザ設定情報を格納している。契約情報は、各携帯電話機のユーザがどのような契約をしているかを示す情報である。
【００１６】
例えば、電話番号が「０９０−ＡＡＡＡ−ａａａａ」のユーザは、移動体通信網ＮＷ１及び無線構内通信網ＮＷ２の双方が使用可能な契約となっている。一方、電話番号が「０９０−ＢＢＢＢ−ｂｂｂｂ」のユーザは、移動体通信網ＮＷ１のみが使用可能な契約となっている。
【００１７】
在圏情報は、各携帯電話機が、移動体通信網ＮＷ１又は無線構内通信網ＮＷ２のいずれに在圏しているかを示す情報である。例えば、電話番号が「０９０−ＡＡＡＡ−ａａａａ」のユーザは、無線構内通信網ＮＷ２に在圏している。一方、電話番号が「０９０−ＢＢＢＢ−ｂｂｂｂ」のユーザは、移動体通信網ＮＷ１に在圏している。
【００１８】
ユーザ設定情報は、各携帯電話機のユーザが、移動体通信網ＮＷ１又は無線構内通信網ＮＷ２のいずれを優先的に使用するかを設定している情報である。例えば、電話番号が「０９０−ＡＡＡＡ−ａａａａ」のユーザは、移動体通信網ＮＷ１を優先的に使用することを設定している。一方、電話番号が「０９０−ＢＢＢＢ−ｂｂｂｂ」のユーザは、移動体通信網ＮＷ１のみの契約なので、ユーザ設定情報は登録されていない。
【００１９】
引き続いて、通信切替装置１０について説明する。通信切替装置１０のハードウェア構成図を図４に示す。図４に示すように、通信切替装置１０は、ＣＰＵ（Ｃｅｎｔｒａｌ  Ｐｒｏｃｅｓｓｉｎｇ  Ｕｎｉｔ）１０ａ、主記憶装置であるＲＡＭ（Ｒａｎｄｏｍ  Ａｃｃｅｓｓ  Ｍｅｍｏｒｙ）１０ｂ及びＲＯＭ（Ｒｅａｄ  Ｏｎｌｙ  Ｍｅｍｏｒｙ）１０ｃ、ハードディスク等の補助記憶装置１０ｅ、並びにネットワークカード等のデータ送受信デバイスである通信モジュール１０ｄ等のハードウェアを備えるコンピュータとして構成される。これらの構成要素が動作することにより、通信切替装置１０の後述する機能が発揮される。
【００２０】
図１を再び参照しながら、通信切替装置１０の機能的な構成要素について説明する。通信切替装置１０は機能的な構成要素として、要求受信部１０１（要求受信手段）と、通信可能網決定部１０２（通信可能網決定手段）と、優先度判断部１０３（優先度判断手段）と、着信網決定部１０４（着信網決定手段）と、着信制御部１０５（着信制御手段）と、着信情報送信部１０６（着信情報送信手段）と、を備えている。引き続いて、各構成要素について説明する。
【００２１】
要求受信部１０１は、携帯電話機３０との通信接続を要求する接続要求情報を受信する部分である。より具体的には、発信側通信端末３５から送信される接続要求情報であって、携帯電話機３０を特定する端末特定情報としての電話番号を含む接続要求情報を受信する。この接続要求情報には、移動体通信網ＮＷ１又は無線構内通信網ＮＷ２のいずれを経由して携帯電話機３０に着信するかを指定する情報を含んでもよい。要求受信部１０１は受信した接続要求情報を通信可能網決定部１０２に出力する。
【００２２】
通信可能網決定部１０２は、要求受信部１０１が受信した接続要求情報に含まれる携帯電話機３０を特定する端末特定情報（携帯電話機３０の電話番号）に基づいて、無線構内通信網ＮＷ２及び移動体通信網ＮＷ１のうち携帯電話機３０が通信可能な網を決定する部分である。
【００２３】
より具体的には、通信可能網決定部１０２は、要求受信部１０１から出力された携帯電話機３０の電話番号をサービス制御装置２０に送信し、携帯電話機３０についての契約情報の返信を要求する。この要求に応じて、サービス制御装置２０からは、携帯電話機３０についての契約情報が返信される。
【００２４】
例えば、通信可能網決定部１０２が送信した電話番号が「０９０−ＡＡＡＡ−ａａａａ」であれば、契約情報として「移動体通信網ＮＷ１及び無線構内通信網ＮＷ２の双方が使用可能」を返信する。
【００２５】
通信可能網決定部１０２は、サービス制御装置２０から返信される情報に基づいて、携帯電話機３０が通信可能な網を決定する。上述した例の場合には、移動体通信網ＮＷ１及び無線構内通信網ＮＷ２を通信可能な網として決定する。通信可能網決定部１０２は、携帯電話機３０の電話番号と共に、移動体通信網ＮＷ１及び無線構内通信網ＮＷ２が通信可能であるとの情報を優先度判断部１０３に出力する。
【００２６】
優先度判断部１０３は、通信可能網決定部１０２が決定した通信可能な網が複数存在する場合に、当該複数の網についての優先度を判断する部分である。より具体的には、通信可能網決定部１０２から出力された携帯電話機３０の電話番号をサービス制御装置２０に送信し、携帯電話機３０についての在圏情報及びユーザ設定情報の返信を要求する。この要求に応じて、サービス制御装置２０からは、携帯電話機３０についての在圏情報及びユーザ設定情報が返信される。
【００２７】
例えば、優先度判断部１０３が送信した電話番号が「０９０−ＡＡＡＡ−ａａａａ」であれば、在圏情報として「無線構内通信網ＮＷ２に在圏」を、ユーザ設定情報として「移動体通信網ＮＷ１を優先」を、それぞれ返信する。
【００２８】
優先度判断部１０３は、携帯電話機３０の無線構内通信網ＮＷ２及び移動体通信網ＮＷ１における在圏状態に基づいて優先度を判断することも好ましい。また、優先度判断部１０３は、携帯電話機３０の通信システム１における契約状態に基づいて優先度を判断することも好ましい。
【００２９】
上述した例によれば、在圏状態に基づいて優先度を判断すれば、無線構内通信網ＮＷ２が優先され、契約状態に基づいて優先度を判断すれば、移動体通信網ＮＷ１が優先される。優先度判断部１０３は、判断した優先度を着信網決定部１０４に出力する。
【００３０】
尚、優先度判断部１０３は、通信可能網決定部１０２が決定した通信可能な網が複数存在するか判断し、複数存在しない場合には着信制御部１０５にその旨の情報を出力する。
【００３１】
着信網決定部１０４は、優先度判断部１０３が出力した優先度に基づいて、携帯電話機３０と通信接続するための網を決定する部分である。例えば上述の例において、優先度判断部１０３が在圏状態に基づいて優先度を判断し、無線構内通信網ＮＷ２を優先した場合には、着信網決定部１０４は無線構内通信網ＮＷ２を通信接続するための網として決定する。また、優先度判断部１０３が契約状態に基づいて優先度を判断し、移動体通信網ＮＷ１を優先した場合には、着信網決定部１０４は移動体通信網ＮＷ１を通信接続するための網として決定する。着信網決定部１０４は、決定した網を特定する情報を着信制御部１０５に出力する。
【００３２】
着信制御部１０５は、着信網決定部１０４が決定した網を介して携帯電話機３０に対する着信制御を行う部分である。着信網決定部１０４が決定した網が移動体通信網ＮＷ１であれば、移動体通信網ＮＷ１を介して回線を確保し、発信側通信端末３５と携帯電話機３０とが移動体通信網ＮＷ１を介して通話可能なように着信制御を行う。一方、着信網決定部１０４が決定した網が無線構内通信網ＮＷ２であれば、無線構内通信網ＮＷ２を介して回線を確保し、発信側通信端末３５と携帯電話機３０とが無線構内通信網ＮＷ２を介して通話可能なように着信制御を行う。
【００３３】
着信情報送信部１０６は、着信網決定部１０４が決定した網を特定する情報を、接続要求情報を送信した発信側通信端末３５に送信する部分である。このように、着信網決定部１０４が決定した網を特定する情報を発信側通信端末３５に送信すると、料金通知サービスやその他のユーザサービスにその情報を利用することが可能となる。
【００３４】
引き続いて、通信切替装置１０の動作について図４を参照しながら説明する。図４は、通信切替装置１０の動作を示すフローチャートである。
【００３５】
発信側通信端末３５において携帯電話機３０への発呼入力がされると、接続要求情報が通信切替装置１０に送信される。この接続要求情報は、要求受信部１０１が受信する（Ｓ０１）。要求受信部１０１は受信した接続要求情報を通信可能網決定部１０２に出力する。
【００３６】
通信可能網決定部１０２は、要求受信部１０１から出力された携帯電話機３０の電話番号をサービス制御装置２０に送信し、携帯電話機３０についての契約情報の返信を要求する。この要求に応じて、サービス制御装置２０からは、携帯電話機３０についての契約情報が返信される。通信可能網決定部１０２は、サービス制御装置２０から返信される情報に基づいて、携帯電話機３０が通信可能な網を決定し、携帯電話機３０の電話番号と共に、優先度判断部１０３に出力する（Ｓ０２）。
【００３７】
優先度判断部１０３は、通信可能網決定部１０２が決定した通信可能な網が複数存在するか判断する（Ｓ０３）。優先度判断部１０３は、通信可能網決定部１０２が決定した通信可能な網が複数存在しない場合には着信制御部１０５にその旨の情報を出力する。
【００３８】
優先度判断部１０３は、通信可能網決定部１０２が決定した通信可能な網が複数存在する場合に、当該複数の網についての優先度を判断する（Ｓ０４）。より具体的には、通信可能網決定部１０２から出力された携帯電話機３０の電話番号をサービス制御装置２０に送信し、携帯電話機３０についての在圏情報及びユーザ設定情報の返信を要求する。この要求に応じて、サービス制御装置２０からは、携帯電話機３０についての在圏情報及びユーザ設定情報が返信される。優先度判断部１０３は、在圏情報及びユーザ設定情報に基づいて判断した優先度を着信網決定部１０４に出力する。
【００３９】
着信網決定部１０４は、優先度判断部１０３が出力した優先度に基づいて、携帯電話機３０と通信接続するための網を決定する（Ｓ０５）。着信網決定部１０４は、決定した網を特定する情報を着信制御部１０５に出力する。
【００４０】
着信制御部１０５は、着信網決定部１０４が決定した網を介して携帯電話機３０に対する着信制御を行う（Ｓ０６）。
【００４１】
続いて、着信情報送信部１０６は、着信網決定部１０４が決定した網を特定する情報を、接続要求情報を送信した発信側通信端末３５に送信する（Ｓ０７）。
【００４２】
本実施形態によれば、接続要求情報の受信に応じて、その接続要求情報が通信接続を要求する携帯電話機３０が通信可能な網を決定すると共に、そのように決定した網が複数存在する場合に、優先度を判断し、その優先度に基づいて携帯電話機３０と通信接続するための網を決定することができる。従って、一つの電話番号によって二つの網を使い分けるワンナンバー回線交換サービスを提供することが出来る。また、例えば携帯電話機３０が無線構内通信網ＮＷ２及び移動体通信網ＮＷ１双方の圏内に位置する場合であっても、より優先度の高い網を選択して通信接続することが可能となる。
【００４３】
また、優先度判断部１０３は、無線構内通信網ＮＷ２又は移動体通信網ＮＷ１それぞれの能力に応じて優先度を判断することも好ましい。例えば、テレビ電話着信などのように無線構内通信網ＮＷ２では対応できないものであれば、サービス制御装置２０に格納されている情報の如何にかかわらず、移動体通信網ＮＷ１の優先度を上げることが好ましい。更に、発信側通信端末３５から送信される接続要求情報に、網の優先度指示が含まれている場合にはそれに従って優先度を決定することも好ましい。
【図面の簡単な説明】
【００４４】
【図１】本発明の実施形態である通信切替装置を含む通信システムの構成を説明するための図である。
【図２】図１のサービス制御装置が格納している情報の例を示す図である。
【図３】図１の通信切替装置の動作を説明するためのフローチャートである。
【図４】図１の通信切替装置のハードウェア構成図である。
【符号の説明】
【００４５】
１…通信システム、１０…通信切替装置、２０…サービス制御装置、３０…携帯電話機、３５…発信側通信端末、ＮＷ１…移動体通信網、ＮＷ２…無線構内通信網、１０１…要求受信部、１０２…通信可能網決定部、１０３…優先度判断部、１０４…着信網決定部、１０５…着信制御部、１０６…着信情報送信部。
【図１】
2007243323.tif 000003
【図２】
2007243323.tif 000004
【図３】
2007243323.tif 000005
【図４】
2007243323.tif 000006